【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
無線アクセスポイント装置及びホスト装置を含む無線通信システムであって、
前記無線アクセスポイント装置は、
無線通信装置からの接続要求に応じて、前記ホスト装置に対して接続要求を通知する第１の通知手段と、
前記ホスト装置からのエントリ開始の指示に応じて、グループ識別情報を公開する公開手段と、
前記ホスト装置からのエントリ終了の指示に応じて、前記グループ識別情報を隠蔽する隠蔽手段と、を有し、
前記ホスト装置は、
前記無線アクセスポイント装置からの接続要求に応じて、接続を要求した前記無線通信装置の接続を許可するか否かを判別する判別手段と、
前記判別手段による判別に応じて、前記無線アクセスポイント装置に対して前記エントリ開始を指示する開始指示手段と、
前記無線アクセスポイント装置からの前記無線通信装置のエントリ完了通知に応じて、前記無線アクセスポイント装置に対して前記エントリ終了を指示する終了指示手段と、
を有することを特徴とする無線通信システム。
【請求項２】
前記公開手段は、ビーコン情報に前記グループ識別情報を含ませることにより前記グループ識別情報を公開し、
前記隠蔽手段は、ビーコン情報の前記グループ識別情報を隠蔽することで前記グループ識別情報を隠蔽することを特徴とする請求項１記載の無線通信システム。
【請求項３】
前記無線アクセスポイント装置は、
前記無線通信装置のエントリ処理を行なうエントリ手段と、
前記無線通信装置と認証サーバとの間の認証処理の結果を識別する識別手段と、
前記エントリ手段によるエントリ処理の結果、及び前記識別手段による識別結果に応じて、前記ホスト装置に対して前記エントリ完了を通知する第２の通知手段と、
を有することを特徴とする請求項１記載の無線通信システム。
【請求項４】
前記開始指示手段は、前記無線アクセスポイント装置からの接続要求を受信してから所定期間後、または、予め登録されている複数の無線通信装置に対応する接続要求を受信すると、前記無線アクセスポイント装置に対して前記エントリ開始を指示することを特徴とする請求項１記載の無線通信システム。
【請求項５】
前記終了指示手段は、予め登録されている複数の無線通信装置のエントリ完了通知を受けると、前記無線アクセスポイント装置に対して前記エントリ終了を指示することを特徴とする請求項１記載の無線通信システム。
【請求項６】
前記ホスト装置は、前記無線アクセスポイント装置内に含まれることを特徴とする請求項１記載の無線通信システム。
【請求項７】
前記隠蔽手段は、前記公開手段により前記グループ識別情報を公開してから所定時間が経過すると、前記グループ識別情報を隠蔽することを特徴とする請求項１記載の無線通信システム。
【請求項８】
無線アクセスポイント装置であって、
無線通信装置からの接続要求に応じて、ホスト装置に対して接続要求を通知する第１の通知手段と、
前記ホスト装置からのエントリ開始の指示に応じて、グループ識別情報を公開する公開手段と、
前記ホスト装置からのエントリ終了の指示に応じて、前記グループ識別情報を隠蔽する隠蔽手段と、
を有することを特徴とする無線アクセスポイント装置。
【請求項９】
前記公開手段は、ビーコン情報に前記グループ識別情報を含ませることにより前記グループ識別情報を公開し、
前記隠蔽手段は、ビーコン情報の前記グループ識別情報を隠蔽することで前記グループ識別情報を隠蔽することを特徴とする請求項８記載の無線アクセスポイント装置。
【請求項１０】
前記無線通信装置のエントリ処理を行なうエントリ手段と、
前記無線通信装置と認証サーバとの間の認証処理の結果を識別する識別手段と、
前記エントリ手段によるエントリ処理の結果、及び前記識別手段による識別結果に応じて、前記ホスト装置に対して前記エントリ完了を通知する第２の通知手段と、
を有することを特徴とする請求項８記載の無線アクセスポイント装置。
【請求項１１】
前記ホスト装置は、前記無線アクセスポイント装置内に含まれることを特徴とする請求項８記載の無線アクセスポイント装置。
【請求項１２】
前記隠蔽手段は、前記公開手段により前記グループ識別情報を公開してから所定時間が経過すると、前記グループ識別情報を隠蔽することを特徴とする請求項８記載の無線アクセスポイント装置。
【請求項１３】
無線アクセスポイント装置であって、
無線通信装置からの接続要求に応じて、前記無線通信装置の接続を許可するか否かを判別する判別手段と、
前記判別手段による判別に応じて、グループ識別情報を公開する公開手段と、
所定の条件に応じて、前記グループ識別情報を隠蔽する隠蔽手段と、
を有することを特徴とする無線アクセスポイント装置。
【請求項１４】
前記所定の条件は、前記公開手段による前記グループ識別情報の公開から所定時間の経過であることを特徴とする請求項１３記載の無線アクセスポイント装置。
【請求項１５】
前記所定の条件は、予め登録されている複数の無線通信装置のエントリ完了であることを特徴とする請求項１３記載の無線アクセスポイント装置。
【請求項１６】
無線アクセスポイント装置の通信方法であって、
無線通信装置からの接続要求に応じて、ホスト装置に対して接続要求を通知する第１の通知ステップと、
前記ホスト装置からのエントリ開始の指示に応じて、グループ識別情報を公開する公開ステップと、
前記ホスト装置からのエントリ終了の指示に応じて、前記グループ識別情報を隠蔽する隠蔽ステップと、
を有することを特徴とする通信方法。
【請求項１７】
無線アクセスポイント装置の通信方法であって、
無線通信装置からの接続要求に応じて、前記無線通信装置の接続を許可するか否かを判別する判別ステップと、
前記判別ステップにおける判別に応じて、グループ識別情報を公開する公開ステップと、
所定の条件に応じて、前記グループ識別情報を隠蔽する隠蔽ステップと、
を有することを特徴とする通信方法。
【請求項１８】
ビーコン情報の送信方法であって、
ネットワークへの接続要求を送信した無線通信装置が、所定の無線通信装置か否かを判別する判別ステップと、
前記判別ステップにおける判別に応じて、グループ識別情報が公開されたビーコン情報の送信と、グループ識別情報が未公開のビーコン情報の送信と、を切替える切替えステップと、
を有することを特徴とするビーコン情報の送信方法。
【請求項１９】
前記切替えステップは、前記判別ステップにおける判別により、前記接続要求を送信した無線通信装置が、所定の無線通信装置であると判別した場合に、グループ識別情報を公開したビーコン情報を送信し、前記無線通信装置の前記ネットワークへのエントリ処理の終了または所定時間の経過に応じて、グループ識別情報を未公開にしたビーコン情報の送信に切替えることを特徴とする請求項１８記載のビーコン情報の送信方法。
【請求項２０】
無線アクセスポイント装置を制御するためのプログラムであって、
無線通信装置からの接続要求に応じて、ホスト装置に対して接続要求を通知する第１の通知ステップと、
前記ホスト装置からのエントリ開始の指示に応じて、グループ識別情報を公開する公開ステップと、
前記ホスト装置からのエントリ終了の指示に応じて、前記グループ識別情報を隠蔽する隠蔽ステップと、
をコンピュータに実行させるためのプログラム。
【請求項２１】
無線アクセスポイント装置を制御するためのプログラムであって、
無線通信装置からの接続要求に応じて、前記無線通信装置の接続を許可するか否かを判別する判別ステップと、
前記判別ステップにおける判別に応じて、グループ識別情報を公開する公開ステップと、
所定の条件に応じて、前記グループ識別情報を隠蔽する隠蔽ステップと、
をコンピュータに実行させるためのプログラム。
【請求項２２】
ビーコン情報の送信を制御するためのプログラムであって、
ネットワークへの接続要求を送信した無線通信装置が、所定の無線通信装置か否かを判別する判別ステップと、
前記判別ステップにおける判別に応じて、グループ識別情報が公開されたビーコン情報の送信と、グループ識別情報が未公開のビーコン情報の送信と、を切替える切替えステップと、
をコンピュータに実行させるためのプログラム。
【手続補正２】
【補正対象書類名】明細書
【補正対象項目名】発明の名称
【補正方法】変更
【補正の内容】
【発明の名称】無線通信システム、無線アクセスポイント装置、無線アクセスポイント装置の通信方法、ビーコン情報の送信方法、無線アクセスポイント装置を制御するためのプログラム、及びビーコン情報の送信を制御するためのプログラム
【手続補正３】
【補正対象書類名】明細書
【補正対象項目名】０００１
【補正方法】変更
【補正の内容】
【０００１】
本発明は、無線通信技術に関し、特にグループ識別情報を公開／隠蔽する技術に関する。
【手続補正４】
【補正対象書類名】明細書
【補正対象項目名】００１０
【補正方法】変更
【補正の内容】
【００１０】
本発明は、無線通信装置に対する接続制御を柔軟に行なうことを目的とする。
【手続補正５】
【補正対象書類名】明細書
【補正対象項目名】００１１
【補正方法】変更
【補正の内容】
【００１１】
本発明の無線通信システムは、無線アクセスポイント装置及びホスト装置を含む無線通信システムであって、前記無線アクセスポイント装置は、無線通信装置からの接続要求に応じて、前記ホスト装置に対して接続要求を通知する第１の通知手段と、前記ホスト装置からのエントリ開始の指示に応じて、グループ識別情報を公開する公開手段と、前記ホスト装置からのエントリ終了の指示に応じて、前記グループ識別情報を隠蔽する隠蔽手段と、を有し、前記ホスト装置は、前記無線アクセスポイント装置からの接続要求に応じて、接続を要求した前記無線通信装置の接続を許可するか否かを判別する判別手段と、前記判別手段による判別に応じて、前記無線アクセスポイント装置に対して前記エントリ開始を指示する開始指示手段と、前記無線アクセスポイント装置からの前記無線通信装置のエントリ完了通知に応じて、前記無線アクセスポイント装置に対して前記エントリ終了を指示する終了指示手段と、を有することを特徴とする。
また、本発明の無線アクセスポイント装置は、無線アクセスポイント装置であって、無線通信装置からの接続要求に応じて、ホスト装置に対して接続要求を通知する第１の通知手段と、前記ホスト装置からのエントリ開始の指示に応じて、グループ識別情報を公開する公開手段と、前記ホスト装置からのエントリ終了の指示に応じて、前記グループ識別情報を隠蔽する隠蔽手段と、を有することを特徴とする。
また、本発明の無線アクセスポイント装置は、無線アクセスポイント装置であって、無線通信装置からの接続要求に応じて、前記無線通信装置の接続を許可するか否かを判別する判別手段と、前記判別手段による判別に応じて、グループ識別情報を公開する公開手段と、所定の条件に応じて、前記グループ識別情報を隠蔽する隠蔽手段と、を有することを特徴とする。
また、本発明の通信方法は、無線アクセスポイント装置の通信方法であって、無線通信装置からの接続要求に応じて、ホスト装置に対して接続要求を通知する第１の通知ステップと、前記ホスト装置からのエントリ開始の指示に応じて、グループ識別情報を公開する公開ステップと、前記ホスト装置からのエントリ終了の指示に応じて、前記グループ識別情報を隠蔽する隠蔽ステップと、を有することを特徴とする。
また、本発明の通信方法は、無線アクセスポイント装置の通信方法であって、無線通信装置からの接続要求に応じて、前記無線通信装置の接続を許可するか否かを判別する判別ステップと、前記判別ステップにおける判別に応じて、グループ識別情報を公開する公開ステップと、所定の条件に応じて、前記グループ識別情報を隠蔽する隠蔽ステップと、を有することを特徴とする。
また、本発明のビーコン情報の送信方法は、ビーコン情報の送信方法であって、ネットワークへの接続要求を送信した無線通信装置が、所定の無線通信装置か否かを判別する判別ステップと、前記判別ステップにおける判別に応じて、グループ識別情報が公開されたビーコン情報の送信と、グループ識別情報が未公開のビーコン情報の送信と、を切替える切替えステップと、を有することを特徴とする。
また、本発明のプログラムは、無線アクセスポイント装置を制御するためのプログラムであって、無線通信装置からの接続要求に応じて、ホスト装置に対して接続要求を通知する第１の通知ステップと、前記ホスト装置からのエントリ開始の指示に応じて、グループ識別情報を公開する公開ステップと、前記ホスト装置からのエントリ終了の指示に応じて、前記グループ識別情報を隠蔽する隠蔽ステップと、をコンピュータに実行させるためのプログラムである。
また、本発明のプログラムは、無線アクセスポイント装置を制御するためのプログラムであって、無線通信装置からの接続要求に応じて、前記無線通信装置の接続を許可するか否かを判別する判別ステップと、前記判別ステップにおける判別に応じて、グループ識別情報を公開する公開ステップと、所定の条件に応じて、前記グループ識別情報を隠蔽する隠蔽ステップと、をコンピュータに実行させるためのプログラムである。
また、本発明のプログラムは、ビーコン情報の送信を制御するためのプログラムであって、ネットワークへの接続要求を送信した無線通信装置が、所定の無線通信装置か否かを判別する判別ステップと、前記判別ステップにおける判別に応じて、グループ識別情報が公開されたビーコン情報の送信と、グループ識別情報が未公開のビーコン情報の送信と、を切替える切替えステップと、をコンピュータに実行させるためのプログラムである。
【手続補正６】
【補正対象書類名】明細書
【補正対象項目名】００１２
【補正方法】変更
【補正の内容】
【００１２】
本発明によれば、グループ識別情報の公開／隠蔽を適応的に行なうことにより、無線通信装置に対する接続制御を柔軟に行なうことができる。